(57)【要約】【課題】  使用上の安全性に富んだ鰹節削り器の提供。【解決手段】  上面側が開放された本体１と、該本体１の開放口を取り外し可能に閉塞する蓋体２と、本体１の開放口側に支持されて鰹節の削り刃５を有する削り台３とを備える鰹節削り器において、巾広ガイド板７と巾狭ガイド板８とを上記削り刃５の巾よりも小さな間隔を画して組み立てた保護枠６を有し、該保護枠６を上記削り台３上に配置して、保護枠６の巾広ガイド板７と巾狭ガイド板８との間隔１０内に削り刃５の一部を臨ましめることにより、鰹節は保護枠６の巾広ガイド板７と巾狭ガイド板８の間隔１０内の臨む削り刃５の一部のみでしか削られないので、これにより、誰が使用しても、指を怪我する心配がない。【選択図】  図１
2009039798.tif 000002
【特許請求の範囲】
【請求項１】
上面側が開放された本体と、該本体の開放口を取り外し可能に閉塞する蓋体と、本体の開放口側に支持されて鰹節の削り刃を有する削り台とを備える鰹節削り器において、巾広ガイド板と巾狭ガイド板とを上記削り刃の巾よりも小さな間隔を画して組み立てた保護枠を有し、該保護枠を上記削り台上に配置して、保護枠の巾広ガイド板と巾狭ガイド板との間隔内に削り刃の一部を臨ましめることを特徴とする鰹節削り器。
【請求項２】
保護枠の巾広ガイド板と巾狭ガイド板の対向する各内側面にテーパー形状を付与したことを特徴とする請求項１記載の鰹節削り器。
【請求項３】
保護枠の巾広ガイド板と巾狭ガイド板との間隔が、削り刃の巾の半分以下に設定されていることを特徴とする請求項１乃至請求項２のいずれかに記載の鰹節削り器。
【発明の詳細な説明】
【技術分野】
【０００１】
本発明は、使用上の安全性に富んだ鰹節削り器に関するものである。
【背景技術】
【０００２】
従来の鰹節削り器は、具体的には図示しないが、主として、上面側が開放されて引き出し可能な回収箱を有する矩形状の本体と、該本体の開放口を取り外し可能に閉塞する相似状の蓋体と、本体の開放口の内側に支持されて鰹節の削り刃を有する削り台とを備える構成となっている（例えば、特許文献１参照）。
【０００３】
そして、実際の使用に際しては、蓋体を取り外した状態を得て、その削り台上で鰹節を往復移動させると、該削り台の削り刃で鰹節が削られて、本体の回収箱内に落下するので、後は、この回収箱から鰹節片を取り出せば、即座に、調理に供することが可能となる。
【特許文献１】実用新案登録第３０１２３１４号公報
【発明の開示】
【発明が解決しようとする課題】
【０００４】
従って、従来の鰹節削り器は、基本的には、比較的簡単な構造をもって、誰でもが、容易に鰹節を削ることができる利点を有するが、反面、使用上の安全性が全く顧みられていないため、鰹節を削っていく過程で、鰹節の大きさが小さくなったり、或いは、子供が使用するような場合には、誤って、指を削り刃で切ってしまう恐れが十分にあった。
【課題を解決するための手段】
【０００５】
本発明は、斯かる従来の鰹節削り器が抱える課題を有効に解決するために開発されたもので、請求項１記載の発明は、上面側が開放された本体と、該本体の開放口を取り外し可能に閉塞する蓋体と、本体の開放口側に支持されて鰹節の削り刃を有する削り台とを備える鰹節削り器において、巾広ガイド板と巾狭ガイド板とを上記削り刃の巾よりも小さな間隔を画して組み立てた保護枠を有し、該保護枠を上記削り台上に配置して、保護枠の巾広ガイド板と巾狭ガイド板との間隔内に削り刃の一部を臨ましめることを特徴とする。
【０００６】
請求項２記載の発明は、請求項１を前提として、保護枠の巾広ガイド板と巾狭ガイド板の対向する各内側面にテーパー形状を付与したことを特徴とする。
【０００７】
請求項３記載の発明は、請求項１乃至請求項２を前提として、保護枠の巾広ガイド板と巾狭ガイド板との間隔が、削り刃の巾の半分以下に設定されていることを特徴とする。
【発明の効果】
【０００８】
依って、請求項１記載の発明にあっては、保護枠を削り台上に配置する状態を得て、該保護枠を構成する巾広ガイド板と巾狭ガイド板の対向する間隔内に鰹節をセットして、当該巾広ガイド板と巾狭ガイド板に沿って鰹節を往復移動させると、鰹節は巾広ガイド板と巾狭ガイド板との間隔内に臨む削り刃の一部のみで削られ、該削り刃の残余は保護枠の巾広ガイド板と巾狭ガイド板とで隠されるので、従来のように、誤って、指を削り刃で切ってしまう恐れがなくなる。従って、鰹節を削っていく過程で、鰹節の大きさが小さくなったり、或いは、子供が使用するような場合でも、十分な安全対策が始めて可能となる。
【０００９】
請求項２記載の発明にあっては、保護枠を構成する巾広ガイド板と巾狭ガイド板の対向する各内側面にテーパー形状が付与されているので、鰹節の間隔内での往復移動がその大きさに応じてスムーズに案内できると共に、より確実な安全対策が期待できる。
【００１０】
請求項３記載の発明にあっては、保護枠を構成する巾広ガイド板と巾狭ガイド板との間隔が削り刃の半分以下に設定されているので、保護枠の削り台上に対する配置姿勢を逆にすれば、その姿勢により、削り刃の約半分づつを交互に使用することができ、削り刃全体の磨耗を効率よく抑えることが可能となる。
【発明を実施するための最良の形態】
【００１１】
本発明は、上面側が開放された本体と、該本体の開放口を取り外し可能に閉塞する蓋体と、本体の開放口側に支持されて鰹節の削り刃を有する削り台とを備える鰹節削り器を前提として、巾広ガイド板と巾狭ガイド板とを上記削り刃の巾よりも小さな間隔を画して組み立てた保護枠を有し、該保護枠を上記削り台上に配置して、保護枠の巾広ガイド板と巾狭ガイド板との間隔内に削り刃の一部を臨ましめることにより、鰹節を直接削る削り刃の一部以外は両側から保護枠で隠されるので、これにより、使用上の安全対策を得ようとするものである。
【実施例】
【００１２】
以下、本発明を図示する好適な実施例に基づいて詳述すれば、該実施例に係る鰹節削り器も、基本的には、従来と同様に、図１に示す如く、上面側が開放されて引き出し可能な回収箱４を有する矩形状の本体１と、該本体１の開放口を取り外し可能に閉塞する相似状の蓋体２と、本体１の開放口の内側に支持されて鰹節の削り刃５を有する削り台３とを備えるものであるが、特徴とするところは、別に組み立てられた保護枠６を新たに有する点にある。
【００１３】
そこで、この保護枠６を説明すると、当該保護枠６は、図２にも示す如く、巾広ガイド板７と巾狭ガイド板８と該各ガイド板７・８の両端部同士を所定の間隔１０をおいて連結する一対の連結板９とから組み立てられるもので、削り台３の両端部に形成された段部３ａに各連結板９を載置することにより、削り台３上に配置されると共に、特に、巾広ガイド板７と巾狭ガイド板８の対向する各内側面に対しては、下り傾斜するテーパー形状７ａ・８ａを積極的に付与して、鰹節の往復移動を円滑に案内できる構成を採用している。
【００１４】
尚、保護枠６の巾広ガイド板７と巾狭ガイド板８間に画成される間隔１０は、安全性の見地から、少なくとも、上記した削り刃５の巾寸法よりも小さく設定するものとするが、好ましくは、若干ではあるが、削り刃５の巾寸法の半分以下に設定すれば、保護枠６を削り台３上に配置する場合に、保護枠６の削り台３上に対する配置姿勢を逆にすると、その姿勢により、削り刃５の約半分づつを交互に使用することが可能となって、削り刃５全体の磨耗を効率よく抑えることができる。
【００１５】
従って、斯かる保護枠６を削り台３上に配置すれば、保護枠６の巾広ガイド板７と巾狭ガイド板８との間隔１０内に削り刃５の一部が臨むこととなるので、この削り刃５の一部で鰹節を削ることとなり、残余は、保護枠６の巾広ガイド板７と巾狭ガイド板８とでその面積に応じて隠されることとなる。又、この状態のまま、蓋体２を閉めても、図３・図４に示す如く、保護枠６自体は全く邪魔とならないので、別に組み立てられた保護枠６は、既存の鰹節削り器にも容易に応用することが可能となる。又、図中、１１は、削り台３を本体１の開放口側で支持する支持板、１２は、本体１の開放口の両側縁に沿って設けられたサイド板である。
【００１６】
依って、実際の使用に際しては、図５に示す如く、蓋体２を取り外し、保護枠６を削り台３上に配置する状態を得て、該保護枠６を構成する巾広ガイド板７と巾狭ガイド板８の対向する間隔１０内に鰹節１３をセットして、当該巾広ガイド板７と巾狭ガイド板８に沿って鰹節１３を往復移動させると、鰹節１３は巾広ガイド板７と巾狭ガイド板８との間隔１０内に臨む削り刃５の一部のみで削られ、且つ、削り刃５の残りは保護枠６で完全に隠されることとなるので、従来のように、誤って、指を削り刃５で切ってしまう恐れがなくなる。従って、鰹節を削っていく過程で、鰹節の大きさが小さくなったり、或いは、子供が使用するような場合でも、十分な安全対策が始めて可能となる。但し、鰹節１３自体が大きいような場合には、保護枠６を使用しないで、削ることも可能である。
【００１７】
しかも、この場合には、鰹節１３の往復移動を案内する巾広ガイド板７と巾狭ガイド板８の対向する各内側面にテーパー形状７ａ・８ａが付与されているので、鰹節１３の往復移動を円滑に行なうことが可能となると共に、指が削り刃５に接触することが絶対ないので、より確実な安全対策が期待できることとなる。
【００１８】
又、本実施例にあっては、既述した如く、巾広ガイド板７と巾狭ガイド板８との間隔１０が削り刃５の巾寸法の半分以下に設定されている関係で、図６・図７に示す如く、保護枠６の削り台３上に対する配置姿勢を逆にすれば、その姿勢により、削り刃５の約半分づつを交互に使用することができ、削り刃５全体の磨耗を効率よく抑えることが可能となる。
【産業上の利用可能性】
【００１９】
本発明に係る鰹節削り器は、使用上の安全対策が十分に期待できるので、大人でも子供でも、誰でもが、指を怪我することなく使用することが可能となる。
【図面の簡単な説明】
【００２０】
【図１】本発明の実施例に係る鰹節削り器を示す分解斜視図である。
【図２】図１のＡ−Ａ線断面図である。
【図３】鰹節削り器の不使用状態を示す斜視図である。
【図４】図３のＢ−Ｂ線断面図である。
【図５】鰹節を削る状態を示す正面図である。
【図６】鰹節削り器の使用状態を示す斜視図である。
【図７】鰹節削り器の使用状態において、保護枠の削り台に対する配置姿勢を逆にして示す斜視図である。
【符号の説明】
【００２１】
１    本体
２    蓋体
３    削り台
３ａ  削り台の段部
４    回収箱
５    削り刃
６    保護枠
７    巾広ガイド板
７ａ  巾広ガイド板のテーパー形状
８    巾狭ガイド板
８ａ  巾狭ガイド板のテーパー形状
９    連結板
１０  巾広ガイド板と巾狭ガイド板の間隔
１１  支持板
１２  サイド板
１３  鰹節
【図１】
2009039798.tif 000003
【図２】
2009039798.tif 000004
【図３】
2009039798.tif 000005
【図４】
2009039798.tif 000006
【図５】
2009039798.tif 000007
【図６】
2009039798.tif 000008
【図７】
2009039798.tif 000009